(57)【要約】【課題】材料費および加工費の削減を図ると共に、灯具の落下を防止できるようにする。【解決手段】被取付部に取り付けられる灯具取付器具と、灯具取付器具に着脱自在に取り付けられ、照射対象空間に光を照射する灯具と、灯具取付器具および灯具を連結する連結装置と、を備える照明装置であって、連結装置は、灯具取付器具に設けられる器具側連結部と、灯具側に設けられ、器具側連結部と係合する灯具側連結部と、を有し、灯具側連結部は、灯具と一体成型されているものである。【選択図】図２
2020202062.tif 000002
【特許請求の範囲】
【請求項１】
被取付部に取り付けられる灯具取付器具と、
前記灯具取付器具に着脱自在に取り付けられ、照射対象空間に光を照射する灯具と、
前記灯具取付器具および前記灯具を連結する連結装置と、を備え、
前記連結装置は、
前記灯具取付器具に設けられ、弾性体で形成された器具側連結部と、
前記灯具と一体成型され、前記器具側連結部と係合する係合部が形成された灯具側連結部と、を有する、照明装置。
【請求項２】
前記灯具は、光源が取り付けられる光源取付部を有し、
前記灯具側連結部は、前記光源取付部と一体成型されている、請求項１に記載の照明装置。
【請求項３】
前記灯具は、
光源が取り付けられる光源取付部と、
前記光源取付部に設けられる電源装置と、を有し、
前記灯具側連結部は、前記電源装置と一体成型されている、請求項１に記載の照明装置。
【請求項４】
前記灯具側連結部は、
前記光源取付部の長手方向に対して前記灯具取付器具側に向かって切り起こされて形成された連結主部に、前記器具側連結部を挿通させる係合孔が形成されている、請求項２に記載の照明装置。
【請求項５】
前記灯具側連結部は、
前記光源取付部の短手方向に対して前記灯具取付器具側に向かってブリッジ形状に立ち上げて形成された連結主部を有し、
前記連結主部と前記光源取付部との間には、前記器具側連結部を挿通させる係合孔が形成されている、請求項２に記載の照明装置。
【請求項６】
前記灯具側連結部は、
前記光源取付部の短手方向に対して前記灯具取付器具側に向かって切り起こされて形成された複数の連結主部を有し、
前記複数の連結主部と前記光源取付部との間には、前記器具側連結部を挿通させる係合孔が形成されている、請求項２に記載の照明装置。
【請求項７】
前記灯具側連結部は、
前記電源装置の短手方向に対して、前記器具側連結部を挿通させる係合孔が形成されている、請求項３に記載の照明装置。
【請求項８】
被取付部に取り付けられる灯具取付器具と、前記灯具取付器具に着脱自在に取り付けられ、照射対象空間に光を照射する灯具と、を備える照明装置に用いられ、
請求項１〜７のいずれか一項に記載の前記灯具取付器具および前記灯具を連結する連結装置。
【発明の詳細な説明】
【技術分野】
【０００１】
本発明は、照明装置およびそれに用いられる連結装置に関する。
【背景技術】
【０００２】
天井などの被取付部に取り付けられる灯具取付器具と、この灯具取付器具に着脱自在に取り付けられる灯具（光源ユニットとも称される）と、を備えている。そして、この種の照明装置において、これら灯具取付器具と灯具とは、連結装置によって連結されている。
【０００３】
ここで、連結装置は、例えば特許文献１に記載されているように、灯具取付器具に設けられるバネ部材と、灯具としてのラインＬＥＤモジュールに設けられるバネ受け金具と、を備えており、バネ部材がバネ受け金具に係合することで灯具取付器具と灯具とを連結する。
【先行技術文献】
【特許文献】
【０００４】
【特許文献１】特開２０１６−２１２９７５号公報
【発明の概要】
【発明が解決しようとする課題】
【０００５】
しかしながら、特許文献１に記載された照明装置において、バネ受け金具は灯具と別体で形成された副資材である部品であり、且つ、灯具に対して副資材である固定用のねじなどを用いて固定されていた。そのため、これら副資材が資材費削減の妨げとなり、バネ受け金具を個別に固定する工程が照明装置の組み立て時間の短縮および加工費削減の妨げとなっていた。
【０００６】
また、バネ受け金具を灯具に固定する際のねじ締めが緩かったり、経年劣化によってねじが破断したりした場合、バネ受け金具が灯具から外れ、灯具が落下する虞もあった。
【０００７】
つまり、特許文献１の照明装置では、連結装置として、このような副資材を用いているため、照明装置以外の材料費および加工費が必要であるばかりか、長期間に亘る照明装置の使用に伴う副資材の劣化または誤まった施工などの不完全な固定の影響を受けることにより、落下する懸念もあった。
【０００８】
本発明は、上述した課題を解決することを目的としており、材料費および加工費の削減を図ると共に、灯具の落下を防止できる照明装置およびそれに用いられる連結装置を提供するものである。
【課題を解決するための手段】
【０００９】
本発明に係る照明装置は、被取付部に取り付けられる灯具取付器具と、前記灯具取付器具に着脱自在に取り付けられ、照射対象空間に光を照射する灯具と、前記灯具取付器具および前記灯具を連結する連結装置と、を備え、前記連結装置は、前記灯具取付器具に設けられ、弾性体で形成された器具側連結部と、前記灯具と一体成型され、前記器具側連結部と係合する係合部が形成された灯具側連結部と、を有するものである。
【００１０】
また、本発明に係る連結装置は、被取付部に取り付けられる灯具取付器具と、前記灯具取付器具に着脱自在に取り付けられ、照射対象空間に光を照射する灯具と、を備える照明装置に用いられ、前述した照明装置における前記灯具取付器具と、前記灯具と、を連結するものである。
【発明の効果】
【００１１】
本発明によれば、灯具取付器具および灯具を連結する連結装置のうち、灯具に設けられる灯具側連結部が灯具と一体成型されているため、バネ受け金具および固定用ねじといった副資材を用いる必要をなくし、材料費および加工費の削減を図ることができる。しかも、灯具側連結部が副資材を用いることなく、灯具と一体成型されているので、従来のような長期間に亘る照明装置の使用に伴う副資材の劣化または誤った施工などの不完全な固定の影響を受けることなく、灯具の落下を防止できる。
【図面の簡単な説明】
【００１２】
【図１】実施の形態１に係る照明装置を示す斜視図である。
【図２】図１の照明装置を示す分解斜視図である。
【図３】図１の照明装置における灯具を示す斜視図である。
【図４】図３の灯具を示す分解斜視図である。
【図５】図３の灯具における連結装置を拡大して示す概略斜視図である。
【図６】図５の灯具を短手方向および上下方向における平面から見て示す概略断面図である。
【図７】実施の形態１の変形例１に係る照明装置における連結装置の説明に供する概略斜視図である。
【図８】実施の形態１の変形例２に係る照明装置における連結装置の説明に供する概略斜視図である。
【図９】実施の形態１の変形例３に係る照明装置における連結装置の説明に供する概略斜視図である。
【図１０】実施の形態１の変形例４に係る照明装置における連結装置の説明に供する概略斜視図である。
【図１１】実施の形態１の変形例５に係る照明装置における連結装置の説明に供する概略斜視図である。
【図１２】実施の形態１の変形例６に係る照明装置における連結装置の説明に供する概略斜視図である。
【図１３】実施の形態１の変形例７に係る照明装置における連結装置の説明に供する概略斜視図である。
【図１４】実施の形態２に係る照明装置の灯具における連結装置を拡大して示す概略斜視図である。
【図１５】図１４の灯具を短手方向および上下方向における平面から見て示す概略断面図である。
【図１６】実施の形態２の変形例に係る照明装置における連結装置の説明に供する概略斜視図である。
【発明を実施するための形態】
【００１３】
以下、照明装置およびそれに用いられる連結装置の実施の形態について、図面を参照しながら説明する。なお、照明装置およびそれに用いられる連結装置は、以下に説明する実施の形態によって限定されるものではない。また、図１を含め、以下の図面では各構成部材の大きさの関係が実際のものとは異なる場合がある。また、以下の説明において、理解を容易にするために方向を表す用語を適宜用いるが、これは説明のためのものであって、これらの用語は照明装置およびそれに用いられる連結装置を限定するものではない。方向を表す用語としては、例えば、「上」、「下」、「右」、「左」、「前」または「後」などが挙げられる。
【００１４】
実施の形態１．
図１は、実施の形態１に係る照明装置１を示す斜視図である。図２は、図１の照明装置１を示す分解斜視図である。まず、図１および図２を参照して、本実施の形態１に係る灯具取付器具２および照明具としての灯具３を備える照明装置１の全体構成を説明する。なお、以下の説明において、長手方向を長手方向Ｘ、長手方向Ｘに対する短手方向を短手方向Ｙとし、長手方向Ｘおよび短手方向Ｙのそれぞれに直交する方向を上下方向Ｚとする。また、照明装置１が取り付けられる被取付部としての天井９の側を上方向Ｚ１とし、上方向Ｚ１と反対側であり照明装置１が光を照射する側を下方向Ｚ２とする。
【００１５】
照明装置１は、長尺状の灯具取付器具２と、灯具取付器具２に着脱自在に取り付けられる長尺状の灯具３と、これら灯具取付器具２および灯具３を連結する連結装置４と、を備えている。
【００１６】
図３は、図１の照明装置１における灯具３を示す斜視図である。図４は、図３の灯具３を示す分解斜視図である。図１〜図４を参照して照明装置１の各部の構成を説明する。
【００１７】
＜灯具取付器具２＞
灯具取付器具２は、図１に示すように、不図示の吊ボルトなどの固定具を用いて天井９などの被取付部に取り付けられる。灯具取付器具２は、図２に示すように、天井９に取り付けられる長尺状の本体部２０と、本体部２０の長手方向Ｘに沿って設けられ、灯具３を着脱自在に保持する取付部２３と、取付部２３の長手端部を覆う端板２１とを備える。また、灯具取付器具２は、灯具取付器具２の外部から引き込まれた図示しない電源線が挿し込まれる端子台２４と、灯具３を保持するための器具側連結部であるバネ２６と、を備えている。なお、バネ２６については、後述する連結装置４と共に説明する。
【００１８】
（取付部２３）
本体部２０は、図２に示すように、長手方向Ｘに沿って長尺且つ矩形平板状に形成された底面部２００と、底面部２００の短手方向Ｙの両端部からそれぞれ下方向Ｚ２の中央に向けて傾斜して延在する一対の側面部２０１と、を有する。これら底面部２００と側面部２０１とは、取付部２３を構成する。取付部２３は、鋼板などからなり、プレス加工またはロール加工などによって屈曲されたり、押出成形などによって形成されることで剛性を確保している。取付部２３は、底面部２００と側面部２０１とを有し、短手方向Ｙの断面の下方向Ｚ２の側が開口した凹状をなしており、灯具３の一部を収納する。つまり、取付部２３において、側面部２０１の一端の側に底面部２００が位置し、側面部２０１の他端の側に灯具３が挿入される長穴状の開口部２０６が形成されている。ここで、側面部２０１の他端とは、開口部２０６の周縁部である。
【００１９】
取付部２３は、下方向Ｚ２に形成された開口部２０６を経由して、灯具３を取付部２３に取り付けたり、取付部２３から取り外したりできるようになっている。
【００２０】
また、本体部２０は、各側面部２０１の開口部２０６側となる下端部からそれぞれ取付部２３の外側の斜め上方（上向きである上方向Ｚ１且つ取付部２３から離れる向き）に、天井９に向けて傾斜して延在する外観部２０７を有している。この外観部２０７は、反射板として機能する。なお、外観部２０７は、プレス加工またはロール加工などによって側面部２０１の下端部から屈曲されたり、押出成形により形成されたり、などによって、取付部２３と一体に形成されている。さらに、ここでは図示を省略するが、外観部２０７の内面の側には、端板２１を固定するねじを螺合させるためのねじ固定孔（不図示）が形成された側板取付部が設けられている。
【００２１】
また、ここでは図示を省略するが、底面部２００には、商用電源と接続する電源線を引き込むための電源引込孔、および、吊ボルトなどの固定具により灯具取付器具２を天井９へ固定するための固定孔などが形成されている。
【００２２】
（端板２１）
端板２１は、図２に示すように、長手方向Ｘにおける取付部２３の両端に設けられており、底面部２００、側面部２０１および外観部２０７の長手両端部と当接している。また、端板２１は、取付部２３の長手方向Ｘの両端部を覆う端板本体部２１０を有している。端板本体部２１０には、矩形と円形とを組み合わせた略馬蹄形状をなす端板蓋部２１１が取り外しできるように設けられている。なお、端板蓋部２１１は、取付部２３の長手方向Ｘの両端部を覆う端板本体部２１０のうち、少なくとも一方に設けられていればよい。
【００２３】
端板蓋部２１１は、端板本体部２１０を構成する壁部にノックアウト加工が施された部分であり、例えば、たたくことにより、あるいは、切り取ることにより、Ｕ字状の縁部によって形成される開口（端部穴）を現場などで簡単に設けることができるようにした部分である。端板蓋部２１１は、取り外されることで端板本体部２１０に不図示の開口（端部穴）を形成する。また、端板本体部２１０には端板蓋部２１１の縁部を形作る不図示の溝部が形成されている。
【００２４】
端板本体部２１０は、端板蓋部２１１が取り外されることで、Ｕ字状の縁部によって形成される不図示の端部穴が形成される。端部穴は、灯具３が灯具取付器具２に取り付けられた場合に灯具３と対向するように形成されている。端板本体部２１０から取り外される端板蓋部２１１は、取り外される前には端板本体部２１０の一部を構成している。
【００２５】
端板本体部２１０において、端板本体部２１０から取り外された際に端板蓋部２１１の縁部を形成する部分に形成された溝部は、端板本体部２１０の壁が凹状に形成された部分であり、端板本体部２１０の壁の厚さが薄い部分となる。なお、溝部は、凹状に形成されるものに限定されるものではなく、例えば、ミシン目のように複数の貫通孔が連続して形成されてもよい。また、端板蓋部はノックアウト加工により端板本体部２１０から取り外し可能に設けられているが、端板蓋部２１１は、ノックアウト加工以外にも爪による係合、あるいは、接着などで端板本体部２１０から取り外しができるように設けられてもよい。さらに、端部穴は、例えば、複数の照明装置１を長手方向Ｘに沿って連結して設置する場合に、隣接する照明装置１に電線を引き込む送り配線などに利用することができる。
【００２６】
（端子台２４）
端子台２４は、図２に示すように、取付部２３の底面部２００に固定されており、不図示の電源引込孔から引き込まれた図示しない電源線と接続し、商用電源から供給される電力を灯具３に供給する。端子台２４は、不図示の端子台本体部と、灯具３に電気的に接続するための端子台接続部２５とを備えている。なお、端子台本体部は、例えば、矩形箱状、円柱状または多角柱状などの形状で形成されている。端子台接続部２５は、端子台電線２５１と、端子台電線の先端に設けられた端子台コネクタ２５２とを備えている。
【００２７】
＜灯具３＞
図５は、図３の灯具３における連結装置４を拡大して示す概略斜視図である。図６は、図５の灯具３を短手方向Ｙおよび上下方向Ｚにおける平面から見て示す概略断面図である。次に、図１〜図６を参照して、灯具３の全体構成を説明する。図１〜図６に示すように、灯具３は、光源３１が取り付けられる光源取付部３０と、光源３１を覆うカバー部材３２と、光源３１に所定の点灯電力を供給する電源装置３３と、バネ２６と係合する灯具側連結部であるバネ取付部３６と、を備えている。なお、バネ取付部３６については、後述する連結装置４と共に説明する。また、灯具３は、光源ユニットとも称される。
【００２８】
（光源取付部３０）
光源取付部３０は、いずれも後述する、光源３１、電源装置３３および発光素子３１０を覆うカバー部材３２が取り付けられる台座である。光源取付部３０は、金属材料、あるいは樹脂材料を含む材料で形成される。本実施の形態１において、光源取付部３０は、例えば鋼板を用いてロール加工などにより曲げられて形成されたり、あるいは、押出成形により形成されたりすることで、灯具３が必要とする剛性を有している。光源取付部３０は、図１〜図４に示すように、長尺且つ矩形平板状に形成された台座主部３００を有している。また、台座主部３００の短手方向Ｙの両端部には、それぞれ上方向Ｚ１に向かって延在する一対の台座側部３０４が形成されている。光源取付部３０は、光源３１、あるいは電源装置３３の動作熱を外部に放熱する機能を有する。
【００２９】
（台座主部３００）
台座主部３００は、下方向Ｚ２に位置する側の一面が、中央部に後述する光源３１が配置された光源取付面３０１として構成され、それとは反対側の上方向Ｚ１に位置する他面が、後述する電源装置３３が配置された電源取付面３０２として構成されている。また、長手方向Ｘにおける台座主部３００の両端部寄りには、後述するバネ取付部３６が一体に形成されている。
【００３０】
（台座側部３０４）
各台座側部３０４は、図６に示すように、台座主部３００の光源３１が配置される光源取付面３０１とは反対側の電源取付面３０２における短手方向Ｙの両端部から、それぞれ上方向Ｚ１に向かって延在して形成されている。すなわち、光源取付部３０は、一対の台座側部３０４が台座主部３００の短手方向Ｙの両端縁部に位置する各基端部３０５から上方向Ｚ１に立ち上がって延在している。このように構成された各台座側部３０４は、台座主部３００の長手方向Ｘに沿って設けられている。
【００３１】
各台座側部３０４は、それぞれ基端部３０５から先端部３０６にかけて上方向Ｚ１に立ち上がっており、光源取付部３０の短手方向Ｙの断面が、それぞれＬ字状に形成されている。また、各台座側部３０４は、基端部３０５から先端部３０６に亘って光源３１を覆うカバー部材３２と当接している。これにより、光源取付部３０は、カバー部材３２を保持する。なお、各台座側部３０４は、それぞれ台座主部３００の長手方向Ｘの全長に連なって設けられてもよく、台座主部３００の長手方向Ｘの一部に設けられてもよい。また、各台座側部３０４は、それぞれその一部に切り欠きが形成されてもよい。
【００３２】
さらに、各台座側部３０４は、先端部３０６がそれぞれ台座主部３００の電源取付面３０２の側に向かって半円状またはヘアピン状などに折り返される内巻き形状で形成されたカール部３０７を有している。光源取付部３０は、カール部３０７を設けることで台座主部３００に対して、長手方向Ｘの撓みを抑制できるだけの縦弾性係数を確保することができ、光源取付部３０の剛性を確保することができる。
【００３３】
なお、各台座側部３０４のカール部３０７は、先端部３０６がそれぞれ台座主部３００の光源３１が配置されている電源取付面３０２の側に折り返される外巻き形状に形成されることが望ましい。これにより、カール部３０７が内巻き形状で形成される場合に比べて、光源取付部３０の台座側部３０４とカバー部材３２の壁面との接触面積を小さくできる。よって、膨張係数が異なる台座側部３０４とカバー部材３２の壁面とが互いにずれ始める際の膨張収縮音（きしみ音）あるいは摺動音を生じ難くすることができる。
【００３４】
また、カール部３０７は、光源取付部３０の長手方向Ｘに沿って各台座側部３０４の先端部３０６に連続して形成されてもよく、分断して形成されてもよく、一部に形成されてもよい。なお、光源取付部３０は、各台座側部３０４の先端部３０６にカール部３０７が形成されていることが望ましいが、カール部３０７が形成されていなくてもよい。また、カール部３０７は各台座側部３０４のいずれか一方に形成されていてもよい。
【００３５】
（電源装置３３）
台座主部３００のカバー部材３２が取り付けられる光源取付面３０１とは反対になる上方向Ｚ１側の電源取付面３０２には、電源装置３３が設けられている。電源装置３３は、制御回路部品３３８と、この制御回路部品３３８が実装された制御基板３３９と、が収納される長尺箱型形状の筐体３３０を備えている。また、電源装置３３には商用電源との間を電気的に接続するためのワイヤーハーネス３４が接続されている。ワイヤーハーネス３４は、灯具電源電線３４０と、給電線３４１と、を有している。灯具電源電線３４０は、端子台接続部２５と接続されることで端子台２４と接続され、この端子台２４を介して商用電源と電源装置３３とが電気的に接続される。すなわち、商用電源から灯具電源電線３４０を介して電源装置３３へと電力が供給され、この電力が電源装置３３から後述する給電線３４１を介して光源３１へと供給されることで、光源３１の発光素子３１０が発光する。給電線３４１および灯具電源電線３４０と接続される端子台接続部２５は、配線クランプ３５によって台座主部３００の電源取付面３０２上に固定される。
【００３６】
（光源３１）
光源３１は、長尺且つ矩形平板状に形成された光源基板３１１と、光源基板３１１の長手方向Ｘに沿って直線状に実装される複数の発光体である発光素子３１０とを備えている。光源３１において、発光素子３１０は、光源基板３１１の短手方向Ｙに１つ設けられている。光源３１の長手方向Ｘの一端部には、電源装置３３との間を電気的に接続するための給電線３４１が接続されている。この給電線３４１が電源装置３３と接続されることで、発光素子３１０と電源装置３３とが電気的に接続される。
【００３７】
灯具３は、灯具取付器具２の取付部２３に取り付けられ、照射対象空間に光を照射する。灯具３は、灯具取付器具２の取付部２３に収容され、保持される。灯具３は、電源装置３３から光源３１の発光素子３１０が実装された光源基板３１１に電源が供給されることで、発光素子３１０を発光させる。なお、発光素子３１０は、例えば表面実装タイプのＬＥＤ素子で構成されるが、ＣＯＢ型のＬＥＤモジュールでもよい。また、発光素子３１０は、固体レーザ素子、半導体レーザ素子または有機ＥＬ素子でもよい。なお、発光素子３１０は、短手方向Ｙにおいて１つ設けられている例を示したが、これに限らず、発光素子３１０は、短手方向Ｙにおいて複数設けられてもよい。また、発光素子３１０を備えた光源基板３１１が、台座主部３００の短手方向Ｙにおいて複数設けられてもよい。また、発光素子３１０を備えた光源基板３１１が、台座主部３００の長手方向Ｘにおいて複数設けられてもよい。
【００３８】
（カバー部材３２）
カバー部材３２は、例えば乳白色のアクリル樹脂など透光性および拡散性を有する材料により光源３１を覆うように長尺に形成され、光源３１の発光素子３１０から照射される光を拡散しながら透過させるものである。カバー部材３２は、光源３１を覆う主カバー３２０と、当該主カバー３２０の長手方向Ｘの両端部をそれぞれ覆う端部カバー３２９と、を備えている。
【００３９】
（主カバー３２０）
主カバー３２０は、図６に示すように、短手方向Ｙにおいて、カバー正面部３２１と、カバー側面部３２２と、カバー係合部３２４と、カバー支持部３２５と、を有している。主カバー３２０は、カバー正面部３２１と、カバー側面部３２２と、カバー係合部３２４と、カバー支持部３２５と、が長手方向Ｘ（図４参照）へ連続するように形成されている。カバー部材３２は、詳細は後述するが、台座主部３００の短手方向Ｙにおける両端部からそれぞれ上方向Ｚ１へ延在する台座側部３０４に取り付けられる。
【００４０】
カバー正面部３２１は下方向Ｚ２側に向けて湾曲した円弧形状であり、光源３１を覆っている。カバー正面部３２１は、短手方向Ｙの断面が円弧形状であるが、他の形状であってもよい。例えば、カバー正面部３２１は、短手方向Ｙの断面が、平板形状、三角形状、四角形状またはその他の多角形状であってもよい。あるいは、カバー正面部３２１は、単数または複数の平面から形成される平面形状または多面体形状であっても良く、単数または複数の曲面から形成される形状であってもよい。
【００４１】
カバー側面部３２２は、カバー正面部３２１の長手方向Ｘを構成する側端の各端部より台座主部３００の光源取付面３０１側、すなわち上方向Ｚ１に立ち上がるように設けられている。カバー側面部３２２は、カバー正面部３２１の短手方向Ｙの両端部から、それぞれ台座主部３００側、すなわち上方向Ｚ１側に立ち上がるように延在し、且つ、互いに光源３１の側に湾曲した円弧状に設けられている。
【００４２】
また、それぞれのカバー側面部３２２の上端部には、それぞれ台座主部３００の台座側部３０４と対向して重なり、当該台座側部３０４と係合する一対のカバー係合部３２４が、各カバー側面部３２２の上端部から上方向Ｚ１へ延在して設けられている。カバー係合部３２４は、立設部３２４ａと、曲折部３２４ｂとを有する。立設部３２４ａは、各カバー側面部３２２の上端部から上方向Ｚ１に延びるように各々対向して形成されている。立設部３２４ａの上端部には、端部が光源取付部３０の側に向かって対向するように円弧状に曲がった曲折部３２４ｂが形成されている。カバー係合部３２４は、光源取付部３０の台座側部３０４と当接し、各曲折部３２４ｂと台座側部３０４における先端部３０６およびカール部３０７とが係合する。主カバー３２０は、各カバー係合部３２４が各台座側部３０４と係合することにより光源取付部３０に固定される。カバー部材３２は、カバー係合部３２４が、カバー部材３２の長手方向Ｘに沿ってカバー側面部３２２およびカバー支持部３２５に連続して形成されてもよく、分断されて形成されてもよく、一部に形成されてもよい。
【００４３】
カバー支持部３２５は、それぞれのカバー側面部３２２の上端部から互いに近づくように形成されており、台座主部３００の光源取付面３０１の側における光源基板３１１の短手方向Ｙにおける両端部と当接する。
【００４４】
なお、主カバー３２０は、当該主カバー３２０の材料の弾性を利用して台座主部３００にはめ込むことにより光源取付部３０に固定されるスナップフィット構造を用いてもよい。
【００４５】
このように、カバー部材３２は、各カバー係合部３２４が台座主部３００の各台座側部３０４と係合することで、光源取付部３０に固定される。カバー部材３２が光源取付部３０に固定されると、台座主部３００が灯具３の底壁部を構成する。また、カバー正面部３２１およびカバー側面部３２２は、発光素子３１０から発光される光を出射する部分となる。
【００４６】
（端部カバー３２９）
端部カバー３２９は、主カバー３２０の長手方向Ｘの両端部において、それぞれ主カバー３２０の短手方向Ｙの断面と同様に下方向Ｚ２に向けて湾曲した円弧形状をなし、カバー張出部３２３を除いた部分を覆っている。
【００４７】
＜連結装置４＞
図２、図５および図６に示すように、灯具取付器具２と灯具３とを連結する連結装置４は、灯具取付器具２の側に設けられる器具側連結部としてのバネ２６と、灯具３に設けられる灯具側連結部としてのバネ取付部３６と、を有する。
【００４８】
（バネ２６）
バネ２６は、図２に示すように、長手方向Ｘに沿って対になるように、取付部２３の底面部２００に２つ配設されている。バネ２６は、灯具３を灯具取付器具２に取り付けるための連結装置４の１つであり、図２〜図６に示す灯具３に設けられた灯具側連結部としてのバネ取付部３６と係合するものである。バネ２６は、例えば、バネ鋼材、または、ステンレス材料などから構成される弾性部材で形成される弾性体である。
【００４９】
本実施の形態１の場合、バネ２６は板状の弾性材料からなり、一端寄りに設けられたバネ固定部２６１と、他端寄りに設けられたバネ先端部２６３と、バネ固定部２６１とバネ先端部２６３との間に設けられたバネ円弧部２６２と、を有する。バネ固定部２６１には、不図示の貫通孔が形成されている。バネ固定部２６１は、例えば貫通孔にねじが挿入され、灯具取付器具２の底面部２００に、ねじ止めされて固定される。バネ円弧部２６２は、底面部２００から離れるように円弧形状に形成されている。バネ先端部２６３は、円弧形状に形成されたバネ円弧部２６２の内壁の側に曲折して形成されており、図３〜図６に示すバネ取付部３６が引っ掛けられる。また、対になるバネ２６は、それぞれのバネ先端部２６３が互いに反対方向、すなわち灯具取付器具２の長手方向Ｘにおける外方側を向くように底面部２００に配置されている。
【００５０】
（バネ取付部３６）
本実施の形態１の場合、連結装置４の１つであるバネ取付部３６は、図５および図６に示すように、平板状の連結主部３６０を有し、当該連結主部３６０に灯具取付器具２のバネ２６を係合させるための挿通孔３６１が形成されている。バネ取付部３６は、台座主部３００の電源取付面３０２における長手方向Ｘの両端部寄りに、当該台座主部３００と一体に形成されている。詳しくは、バネ取付部３６は、予め、台座主部３００の一部に直接型取りされた部分を電源取付面３０２の側に切り起こして形成されることで、当該台座主部３００と一体に形成される。バネ取付部３６を電源取付面３０２の側に切り起こすことによって台座主部３００に形成された貫通孔３０８は、光源３１によって、光源取付面３０１の側から塞がれている。このように、バネ取付部３６は、台座主部３００を直接切り起こして形成されることで、光源取付部３０と別体のバネ取付金具を設ける必要もなく、また別体のバネ取付金具を固定するためのねじなどの固定具も必要ない。
【００５１】
＜実施の形態１の効果＞
以上、説明したように、本実施の形態１の照明装置１では、灯具取付器具２および灯具３を連結する連結装置４のうち、灯具３に設けられるバネ取付部３６が、灯具３の台座主部３００と一体成型されている。このため、本実施の形態１の照明装置１によれば、従来のようなバネ受け金具およびそれを固定するための固定用ねじといった副資材を用いる必要をなくすことができ、材料費および加工費の削減を図ることができる。しかも、バネ取付部３６が灯具３の台座主部３００と一体成型されているので、長期間に亘る照明装置１の使用に伴う副資材の劣化または不完全な固定などの影響を受けることなく、灯具３の落下を防止できる。
【００５２】
＜実施の形態１の変形例１＞
図７は、実施の形態１の変形例１に係る照明装置１における連結装置４の説明に供する概略斜視図である。前述した実施の形態１の照明装置１では、平板状の連結主部３６０を有し、当該連結主部３６０に灯具取付器具２のバネ２６を係合させるための挿通孔３６１が形成されたバネ取付部３６を、台座主部３００を電源取付面３０２の側に直接切り起こして形成する場合について述べた。しかし、連結装置４の構成としては、実施の形態１のものに限ることはない。
【００５３】
すなわち、図５との対応部分に同一符号を付した図７に示すように、バネ取付部３６ａは、台座主部３００ａの短手方向Ｙに延在する長尺矩形のブリッジ形状に形成された連結主部３６０ａを有する。このとき、連結主部３６０ａと台座主部３００ａとの間には、灯具取付器具２のバネ２６を係合させるための係合孔である挿通孔３６１ａが形成されている。換言すると、本変形例１において、バネ取付部３６ａは、光源取付部３０ａの短手方向Ｙに対して灯具取付器具２の側に向かってブリッジ形状に立ち上げて形成された連結主部３６０ａを有している。そして、連結主部３６０ａと光源取付部３０ａとの間には、バネ２６を挿通させる貫通孔３０８ａが形成されている。
【００５４】
ここでは、図示を省略するが、バネ取付部３６ａは前述した実施の形態１と同様に、台座主部３００ａの電源取付面３０２ａにおける長手方向Ｘの両端部寄りに、当該台座主部３００ａと一体に形成されている。詳しくは、バネ取付部３６ａは、予め、台座主部３００ａの一部に直接型取りされた部分を電源取付面３０２ａの側に切り起こして形成されることで、当該台座主部３００ａと一体に形成される。バネ取付部３６ａを電源取付面３０２ａの側に切り起こすことによって台座主部３００ａに形成された矩形状の貫通孔３０８ａは、光源３１（図６参照）によって、光源取付面３０１（図６参照）の側から塞がれている。このように、バネ取付部３６ａは、台座主部３００ａを直接切り起こして形成されることで、光源取付部３０ａと別体のバネ取付金具を設ける必要もなく、また別体のバネ取付金具を固定するためのねじなどの固定具も必要ない。
【００５５】
＜実施の形態１の変形例１の効果＞
以上、説明したように、本変形例１の照明装置１では、従来の連結装置のようなバネ受け金具およびそれを固定するための固定用ねじといった副資材を用いる必要をなくすことができ、材料費および加工費の削減を図ることができる。しかも、バネ取付部３６ａが灯具３の台座主部３００ａと一体成型されているので、長期間に亘る照明装置１の使用に伴う副資材の劣化または不完全な固定などの影響を受けることなく、灯具３の落下を防止できる。
【００５６】
＜実施の形態１の変形例２＞
図８は、実施の形態１の変形例２に係る照明装置１における連結装置４の説明に供する概略斜視図である。前述した変形例１の照明装置１では、バネ取付部３６ａが台座主部３００ａの短手方向Ｙに延在する長尺矩形のブリッジ状に形成された場合について述べた。しかし、連結装置４の構成としては、実施の形態１および変形例１のものに限ることはない。
【００５７】
すなわち、図５および図７との対応部分に同一符号を付した図８に示すように、バネ取付部３６ｂは、台座主部３００ｂの短手方向Ｙに延在する分離型のブリッジ状に形成された一対の連結主部３６０ｂを有している。これら一対の連結主部３６０ｂは、台座主部３００ｂの短手方向Ｙにおいて中央部から互いに向き合うように、当該台座主部３００ｂを切り起こして形成されている。これら一対の連結主部３６０ｂと台座主部３００ｂとの間には、灯具取付器具２のバネ２６を係合させるための挿通孔３６１ｂが形成されている。
【００５８】
ここでは、図示を省略するが、バネ取付部３６ｂは前述した実施の形態１および変形例１と同様に、台座主部３００ｂの電源取付面３０２ｂにおける長手方向Ｘの両端部寄りに、当該台座主部３００ｂと一体に形成されている。詳しくは、バネ取付部３６ｂは、予め、台座主部３００ｂの一部に直接型取りされた部分を電源取付面３０２ｂの側に切り起こして形成されることで、当該台座主部３００ｂと一体に形成される。バネ取付部３６ｂを電源取付面３０２ｂの側に切り起こすことによって台座主部３００ｂに形成された矩形状の貫通孔３０８ｂは、光源３１（図６参照）によって、光源取付面３０１（図６参照）の側から塞がれている。このように、バネ取付部３６ｂは、台座主部３００ｂを直接切り起こして形成されることで、光源取付部３０ｂと別体のバネ取付金具を設ける必要もなく、また別体のバネ取付金具を固定するためのねじなどの固定具も必要ない。
【００５９】
＜実施の形態１の変形例２の効果＞
以上、説明したように、本変形例２の照明装置１では、従来の連結装置のようなバネ受け金具およびそれを固定するための固定用ねじといった副資材を用いる必要をなくすことができ、材料費および加工費の削減を図ることができる。しかも、バネ取付部３６ｂが灯具３の台座主部３００ｂと一体成型されているので、長期間に亘る照明装置１の使用に伴う副資材の劣化または不完全な固定などの影響を受けることなく、灯具３の落下を防止できる。
【００６０】
＜実施の形態１の変形例３＞
図９は、実施の形態１の変形例３に係る照明装置１における連結装置４の説明に供する概略斜視図である。前述した変形例２の照明装置１では、バネ取付部３６ｂが台座主部３００ｂの短手方向Ｙに延在する分離型のブリッジ状に形成された場合について述べた。しかし、連結装置４の構成としては、実施の形態１、変形例１および２のものに限ることはない。
【００６１】
すなわち、図８との対応部分に同一符号を付した図９に示すように、バネ取付部３６ｃは、台座主部３００ｃの短手方向Ｙに延在する分離型のブリッジ状に形成された一対の連結主部３６０ｃを有している。これら一対の連結主部３６０ｃは、台座主部３００ｃの短手方向Ｙにおいて両端側から互いに向き合うように、当該台座主部３００ｃを切り起こして形成されている。これら一対の連結主部３６０ｃと台座主部３００ｃとの間には、灯具取付器具２のバネ２６を係合させるための挿通孔３６１ｃが形成されている。
【００６２】
ここでは、図示を省略するが、バネ取付部３６ｃは前述した実施の形態１、変形例１および２と同様に、台座主部３００ｃの電源取付面３０２ｃにおける長手方向Ｘの両端部寄りに、当該台座主部３００ｃと一体に形成されている。詳しくは、バネ取付部３６ｃは、予め、台座主部３００ｃの一部に直接型取りされた部分を電源取付面３０２ｃの側に切り起こして形成されることで、当該台座主部３００ｃと一体に形成される。また、図示を省略するが、バネ取付部３６ｃを切り起こすことによって、短手方向Ｙにおける台座主部３００ｃの両端寄りに形成された二つの矩形状の貫通孔３０８ｃは、カバー支持部３２５によって、光源取付面３０１の側から塞がれている。このように、バネ取付部３６ｃは、台座主部３００ｃを直接切り起こして形成されることで、光源取付部３０ｃと別体のバネ取付金具を設ける必要もなく、また別体のバネ取付金具を固定するためのねじなどの固定具も必要ない。
【００６３】
＜実施の形態１の変形例３の効果＞
以上、説明したように、本変形例３の照明装置１では、従来の連結装置のようなバネ受け金具およびそれを固定するための固定用ねじといった副資材を用いる必要をなくすことができ、材料費および加工費の削減を図ることができる。しかも、バネ取付部３６ｃが灯具３の台座主部３００ｃと一体成型されているので、長期間に亘る照明装置１の使用に伴う副資材の劣化または不完全な固定などの影響を受けることなく、灯具３の落下を防止できる。
【００６４】
＜実施の形態１の変形例４＞
図１０は、実施の形態１の変形例４に係る照明装置１における連結装置４の説明に供する概略斜視図である。前述した実施の形態１およびその変形例１〜３の照明装置１では、連結装置４の器具側連結部として、板材の弾性材料を曲げて形成されたバネ２６を用いる場合について述べたが、器具側連結部としてはこれに限ることはない。
【００６５】
すなわち、例えば、図５との対応部分に同一符号を付した図１０に示すように、器具側連結部としては、線材の弾性材料を曲げて形成されたバネ２６ｄを用いてもよい。この場合、バネ取付部３６ｄは、バネ２６ｄに対応した滑動溝３６２ｄと、係止爪３６３ｄとを備えた点を除き、実施の形態１の照明装置１における連結装置４のバネ取付部３６ｄと同様に構成されている。
【００６６】
このように、バネ２６ｄが線材の弾性材料を曲げて形成された場合、バネ取付部３６ｄは、連結主部３６０ｄに形成された挿通部３６１ｄの短手方向Ｙの両端部に、それぞれ滑動溝３６２ｄが形成されている。また、挿通部３６１ｄの上方向Ｚ１に位置する上端部には、灯具３を仮保持する際に、バネ２６ｄのバネ円弧部２６２ｄにおける先端に形成されたバネ先端部２６３ｄを引っ掛けるための係止爪３６３ｄが、当該挿通部３６１ｄの内方（下方向Ｚ２）に向けて突設されている。
【００６７】
ここでは、図示を省略するが、バネ取付部３６ｄは前述した実施の形態１と同様に、台座主部３００ｄの電源取付面３０２ｄにおける長手方向Ｘの両端部寄りに、当該台座主部３００ｄと一体に形成されている。詳しくは、バネ取付部３６ｄは、予め、台座主部３００ｄの一部に直接型取りされた部分を電源取付面３０２ｄの側に切り起こして形成されることで、当該台座主部３００ｄと一体に形成される。バネ取付部３６ｄを切り起こすことによって台座主部３００ｄに形成された貫通孔３０８ｄは、光源３１（図６参照）によって、光源取付面３０１（図６参照）の側から塞がれている。このように、バネ取付部３６ｄは、台座主部３００ｄを直接切り起こして形成されることで、光源取付部３０ｄと別体のバネ取付金具を設ける必要もなく、また別体のバネ取付金具を固定するためのねじなどの固定具も必要ない。
【００６８】
＜実施の形態１の変形例４の効果＞
以上、説明したように、本変形例４の照明装置１では、従来の連結装置のようなバネ受け金具およびそれを固定するための固定用ねじといった副資材を用いる必要をなくすことができ、材料費および加工費の削減を図ることができる。しかも、バネ取付部３６ｄが灯具３の台座主部３００ｄと一体成型されているので、長期間に亘る照明装置１の使用に伴う副資材の劣化または不完全な固定などの影響を受けることなく、灯具３の落下を防止できる。
【００６９】
＜実施の形態１の変形例５＞
図１１は、実施の形態１の変形例５に係る照明装置１における連結装置４の説明に供する概略斜視図である。前述した実施の形態１の変形例における照明装置１では、連結装置４の器具側連結部として、板材の弾性材料を曲げて形成されたバネ２６を用いる場合について述べたが、器具側連結部としてはこれに限ることはない。
【００７０】
例えば、図７との対応部分に同一符号を付した図１１に示すように、器具側連結部としては、線材の弾性材料を曲げて形成されたバネ２６ｄを用いてもよい。この場合、バネ取付部３６ｅは、バネ２６ｄに対応した滑動溝３６２ｅと、係止爪３６３ｅとを備えた点を除き、前述した変形例１の照明装置１における連結装置４のバネ取付部３６ａと同様に構成されている。
【００７１】
このように、バネ２６ｄが線材の弾性材料を曲げて形成された場合、バネ取付部３６ｅは、連結主部３６０ｅと台座主部３００ｅとの間に形成された挿通部３６１ｅの短手方向Ｙの両端部に、それぞれ滑動溝３６２ｅが形成されている。また、挿通部３６１ｅの上方向Ｚ１に位置する上端部には、灯具３を仮保持する際に、バネ２６ｄのバネ円弧部２６２ｄにおける先端に形成されたバネ先端部２６３ｄを引っ掛けるための係止爪３６３ｅが、当該挿通部３６１ｅの内方（下方向Ｚ２）に向けて突設されている。
【００７２】
ここでは、図示を省略するが、バネ取付部３６ｅは前述した変形例１と同様に、台座主部３００ｅの電源取付面３０２ｅにおける長手方向Ｘの両端部寄りに、当該台座主部３００ｅと一体に形成されている。詳しくは、バネ取付部３６ｅは、予め、台座主部３００ｅの一部に直接型取りされた部分を電源取付面３０２ｅの側に切り起こして形成されることで、当該台座主部３００ｅと一体に形成される。バネ取付部３６ｅを電源取付面３０２ｅの側に切り起こすことによって台座主部３００ｅに形成された矩形状の貫通孔３０８ｅは、光源３１（図６参照）によって、光源取付面３０１（図６参照）の側から塞がれている。このように、バネ取付部３６ｅは、台座主部３００ｅを直接切り起こして形成されることで、光源取付部３０ｅと別体のバネ取付金具を設ける必要もなく、また別体のバネ取付金具を固定するためのねじなどの固定具も必要ない。
【００７３】
＜実施の形態１の変形例５の効果＞
以上、説明したように、本変形例５の照明装置１では、従来の連結装置のようなバネ受け金具およびそれを固定するための固定用ねじといった副資材を用いる必要をなくすことができ、材料費および加工費の削減を図ることができる。しかも、バネ取付部３６ｅが灯具３の台座主部３００ｅと一体成型されているので、長期間に亘る照明装置１の使用に伴う副資材の劣化または不完全な固定などの影響を受けることなく、灯具３の落下を防止できる。
【００７４】
＜実施の形態１の変形例６＞
図１２は、実施の形態１の変形例６に係る照明装置１における連結装置４の説明に供する概略斜視図である。前述した実施の形態１の変形例２の照明装置１では、連結装置４の器具側連結部として、板材の弾性材料を曲げて形成されたバネ２６を用いる場合について述べたが、器具側連結部としてはこれに限ることはない。
【００７５】
例えば、図８との対応部分に同一符号を付した図１２に示すように、器具側連結部としては、線材の弾性材料を曲げて形成されたバネ２６ｄを用いてもよい。この場合、バネ取付部３６ｆは、バネ２６ｄに対応した滑動溝３６２ｆと、係止爪３６３ｆとを備えた点を除き、前述した変形例２の照明装置１における連結装置４のバネ取付部３６ｂと同様に構成されている。
【００７６】
このように、バネ２６ｄが線材の弾性材料を曲げて形成された場合、バネ取付部３６ｆは、連結主部３６０ｆの台座主部３００ｆとの間に形成された挿通部３６１ｆの短手方向Ｙの両端部に、それぞれ滑動溝３６２ｆが形成されている。また、挿通部３６１ｆの上方向Ｚ１に位置する上端部には、灯具３を仮保持する際に、バネ２６ｄのバネ円弧部２６２ｄにおける先端に形成されたバネ先端部２６３ｄを引っ掛けるための係止爪３６３ｆが、当該挿通部３６１ｆの内方（下方向Ｚ２）に向けて突設されている。
【００７７】
ここでは、図示を省略するが、バネ取付部３６ｆは前述した実施の形態１の変形例２と同様に、台座主部３００ｆの電源取付面３０２ｆにおける長手方向Ｘの両端部寄りに、当該台座主部３００ｆと一体に形成されている。詳しくは、バネ取付部３６ｆは、予め、台座主部３００ｆの一部に直接型取りされた部分を電源取付面３０２ｆの側に切り起こして形成されることで、当該台座主部３００ｆと一体に形成される。また、バネ取付部３６ｆを電源取付面３０２ｆの側に切り起こすことによって、台座主部３００ｆに形成された矩形状の貫通孔３０８ｆは、光源３１（図６参照）によって、光源取付面３０１（図６参照）の側から塞がれている。このように、バネ取付部３６ｆは、台座主部３００ｆを直接切り起こして形成されることで、光源取付部３０ｆと別体のバネ取付金具を設ける必要もなく、また別体のバネ取付金具を固定するためのねじなどの固定具も必要ない。
【００７８】
＜実施の形態１の変形例６の効果＞
以上、説明したように、本変形例６の照明装置１では、従来の連結装置のようなバネ受け金具およびそれを固定するための固定用ねじといった副資材を用いる必要をなくすことができ、材料費および加工費の削減を図ることができる。しかも、バネ取付部３６ｆが灯具３の台座主部３００ｆと一体成型されているので、長期間に亘る照明装置１の使用に伴う副資材の劣化または不完全な固定などの影響を受けることなく、灯具３の落下を防止できる。
【００７９】
＜実施の形態１の変形例７＞
図１３は、実施の形態１の変形例７に係る照明装置１における連結装置４の説明に供する概略斜視図である。前述した実施の形態１の変形例３の照明装置１では、連結装置４の器具側連結部として、板材の弾性材料を曲げて形成されたバネ２６を用いる場合について述べたが、器具側連結部としてはこれに限ることはない。
【００８０】
例えば、図９の対応部分に同一符号を付した図１３に示すように、器具側連結部としては、線材の弾性材料を曲げて形成されたバネ２６ｄを用いてもよい。この場合、バネ取付部３６ｇは、バネ２６ｄに対応した滑動溝３６２ｇと、係止爪３６３ｇとを備えた点を除き、前述した変形例３の照明装置１における連結装置４のバネ取付部３６ｃと同様に構成されている。
【００８１】
このように、バネ２６ｄが線材の弾性材料を曲げて形成された場合、バネ取付部３６ｇは、連結主部３６０ｇの台座主部３００ｇとの間に形成された挿通部３６１ｇの短手方向Ｙの両端部に、それぞれ滑動溝３６２ｇが形成されている。また、挿通部３６１ｇの上方向Ｚ１に位置する上端部には、灯具３を仮保持する際に、バネ２６ｄのバネ円弧部２６２ｄにおける先端に形成されたバネ先端部２６３ｄを引っ掛けるための係止爪３６３ｇが、当該挿通部３６１ｇの内方（下方向Ｚ２）に向けて突設されている。
【００８２】
ここでは、図示を省略するが、バネ取付部３６ｇは前述した実施の形態１の変形例３と同様に、台座主部３００ｇの電源取付面３０２ｇにおける長手方向Ｘの両端部寄りに、当該台座主部３００ｇと一体に形成されている。詳しくは、バネ取付部３６ｇは、予め、台座主部３００ｇの一部に直接型取りされた部分を電源取付面３０２ｇの側に切り起こして形成されることで、当該台座主部３００ｇと一体に形成される。また、図示を省略するが、バネ取付部３６ｇを電源取付面３０２ｇの側に切り起こすことによって、短手方向Ｙにおける台座主部３００ｇの両端寄りに形成された二つの矩形状の貫通孔３０８ｇは、カバー支持部３２５によって、光源取付面３０１の側から塞がれている。このように、バネ取付部３６ｇは、台座主部３００ｇを直接切り起こして形成されることで、光源取付部３０ｇと別体のバネ取付金具を設ける必要もなく、また別体のバネ取付金具を固定するためのねじなどの固定具も必要ない。
【００８３】
＜実施の形態１の変形例７の効果＞
以上、説明したように、本変形例７の照明装置１では、従来の連結装置のようなバネ受け金具およびそれを固定するための固定用ねじといった副資材を用いる必要をなくすことができ、材料費および加工費の削減を図ることができる。しかも、バネ取付部３６ｇが灯具３の台座主部３００ｇと一体成型されているので、長期間に亘る照明装置１の使用に伴う副資材の劣化または不完全な固定などの影響を受けることなく、灯具３の落下を防止できる。
【００８４】
実施の形態２．
次に、実施の形態２に係る照明装置１の灯具３における連結装置４について説明する。図１４は、実施の形態２に係る照明装置１の灯具３における連結装置４を拡大して示す概略斜視図である。図１５は、図１４の灯具３を短手方向Ｙおよび上下方向Ｚにおける平面から見て示す概略断面図である。
【００８５】
図５および図６との対応部分に同一符号を付した図１４および図１５に示すように、本実施の形態２の連結装置４の１つである灯具側連結部としてのバネ取付部３６ｈは、光源取付部３０ｈの電源取付面３０２ｈではなく、電源装置３３ｈと一体に成形されている。
【００８６】
具体的に、電源装置３３ｈは、ボトムケース３３１ｈと、アッパーケース３３２ｈと、を有する筐体３３０ｈを備えて構成されている。ボトムケース３３１ｈは、上方向Ｚ１が開口された矩形箱形状に形成されている。アッパーケース３３２ｈは、ボトムケース３３１ｈの上方に配置され、ボトムケース３３１ｈの開口を覆うように構成されている。また、アッパーケース３３２ｈには、短手方向Ｙの両端部から下方向Ｚ２の外側（斜め下向き）に向かって張り出した張出部３３３ｈが形成されている。この張出部３３３ｈは、下端部に上方向Ｚ１に向かって屈曲された先端部３３４ｈが形成されており、光源取付部３０ｈの台座側部３０４におけるカール部３０７に引っ掛かるように当接して係合される。つまり、張出部３３３ｈは、上端部がアッパーケース３３２ｈと連通し、下端部の先端部３３４ｈが台座側部３０４におけるカール部３０７と係合し、ボトムケース３３１ｈから外れないように構成されている。このように、電源装置３３ｈは、筐体３３０ｈの先端部３３４ｈが光源取付部３０ｈの台座側部３０４におけるカール部３０７と係合することで、光源取付部３０ｈの電源取付面３０２ｈ上に一体的に取り付けられている。
【００８７】
本実施の形態２の場合、電源装置３３ｈのアッパーケース３３２ｈには、バネ取付部３６ｈが設けられている。バネ取付部３６ｈは、アッパーケース３３２ｈが連結主部３６０ｈとして機能する。この連結主部３６０ｈの長手方向Ｘの外方寄りには、灯具取付器具２のバネ２６を係合させるための挿通孔３６１ｈが短手方向Ｙに沿って形成されている。また、アッパーケース３３２ｈにおける長手方向Ｘの外側端部は開口されており、当該外側端部には、バネ２６のバネ円弧部２６２における先端に形成されたバネ先端部２６３を引っ掛けるための係止爪３６３ｈが、下方向Ｚ２に向けて突出して設けられている。
【００８８】
このように、本実施の形態２に係る照明装置１の灯具３における連結装置４は、バネ取付部３６ｈが、光源取付部３０ｈの電源取付面３０２ｈ上に一体的に取り付けられる電源装置３３ｈに形成される。これにより、バネ取付金具を別体で設ける必要もなく、また別体のバネ取付金具を固定するためのねじなどの固定具も必要ない。
【００８９】
＜実施の形態２の効果＞
以上、説明したように、本実施の形態２の照明装置１によれば、従来の連結装置のようなバネ受け金具およびそれを固定するための固定用ねじといった副資材を用いる必要をなくすことができ、材料費および加工費の削減を図ることができる。しかも、バネ取付部３６ｈが灯具３の台座主部３００ｈに取り付けられた電源装置３３ｈに一体成型されているので、長期間に亘る照明装置１の使用に伴う副資材の劣化または不完全な固定などの影響を受けることなく、灯具３の落下を防止できる。
【００９０】
＜実施の形態２の変形例＞
図１６は、実施の形態２の変形例に係る照明装置１における連結装置４の説明に供する概略斜視図である。図１４との対応部分に同一符号を付した図１６に示すように、本実施の形態２の変形例に係る照明装置１において、灯具側連結部としてのバネ取付部３６ｋは、光源取付部３０ｋの電源取付面３０２ｋに設けられた電源装置３３ｋと一体に成形されている。
【００９１】
電源装置３３ｋは、電源取付面３０２ｋに固定されるボトムケース３３１ｋを有する筐体３３０ｋを備えている。このボトムケース３３１ｋは、上方向Ｚ１が開口された矩形箱形に形成されており、内部に電源回路部品３３８ｋおよび電源基板３３９ｋを収容している。また、筐体３３０ｋは、ボトムケース３３１ｋの上方開口を覆う不図示のアッパーケースを備えている。ここで、ボトムケース３３１ｋは、長手方向Ｘの外側端部にバネ取付部３６ｋが形成されている。このとき、バネ取付部３６ｋが形成されたボトムケース３３１ｋは、光源取付部３０ｋの電源取付面３０２ｋに固定されているため、外れることはない。
【００９２】
本実施の形態２の変形例の場合、バネ取付部３６ｋは、ボトムケース３３１ｋの長手方向Ｘの外方寄りに位置する端面をなし、灯具取付器具２のバネ２６を係合させるための挿通孔３６１ｋが短手方向Ｙに沿って形成されている。このとき、挿通孔３６１ｋの上方向Ｚ１の端部は、バネ２６のバネ固定部２６１における先端に形成されたバネ円弧部２６２を引っ掛けるための係止爪として機能する。
【００９３】
このように、本実施の形態２の変形例に係る照明装置１の灯具３における連結装置４は、バネ取付部３６ｋが、光源取付部３０ｋの電源取付面３０２ｋ上に一体的に取り付けられる電源装置３３ｋに形成される。これにより、バネ取付金具を別体で設ける必要もなく、また別体のバネ取付金具を固定するためのねじなどの固定具も必要ない。
【００９４】
＜実施の形態２の変形例の効果＞
以上、説明したように、本実施の形態２の変形例における照明装置１によれば、従来の連結装置のようなバネ受け金具およびそれを固定するための固定用ねじといった副資材を用いる必要をなくすことができ、材料費および加工費の削減を図ることができる。しかも、バネ取付部３６ｋが灯具３の台座主部３００ｋに取り付けられた電源装置３３ｋに一体成型されているので、長期間に亘る照明装置１の使用に伴う副資材の劣化または不完全な固定などの影響を受けることなく、灯具３の落下を防止できる。
【００９５】
なお、前述した実施の形態２およびその変形例において、連結装置４としての器具側連結部としてのバネ２６は、板状の弾性材料からなるものであってもよいし、線材の弾性材料を曲げて形成されたものであってもよい。
【００９６】
また、前述した変形例を含む全ての実施の形態において、連結装置の灯具側連結部が弾性材料からなり、器具側連結部が弾性材料と係合するバネ取付部で構成されるようにしてもよい。この場合、器具側連結部であるバネ取付部を、灯具取付器具２の本体部２０そのものを加工して連結の機能を兼ねるようにしてもよい。
【００９７】
また、前述した変形例を含む全ての実施の形態において、ばね取付部の曲げ角度の安定、あるいは、屈曲部分の補強といった目的で、ばね取付部の屈曲部分にリブを設けてもよい。
【符号の説明】
【００９８】
１  照明装置、２  灯具取付器具、３  灯具、４  連結装置、９  天井、２０  本体部、２１  端板、２３  取付部、２４  端子台、２５  端子台接続部、２６、２６ｄ  バネ、３０、３０ａ、３０ｂ、３０ｅ、３０ｈ、３０ｋ  光源取付部、３１  光源、３２  カバー部材、３３、３３ｈ、３３ｋ  電源装置、３４  ワイヤーハーネス、３５  配線クランプ、３６、３６ａ、３６ｂ、３６ｃ、３６ｄ、３６ｅ、３６ｆ、３６ｇ、３６ｈ、３６ｋ  バネ取付部、２００  底面部、２０１  側面部、２０６  開口部、２０７  外観部、２１０  端板本体部、２１１  端板蓋部、２５１  端子台電線、２５２  端子台コネクタ、２６１  バネ固定部、２６２、２６２ｄ  バネ円弧部、２６３、２６３ｄ  バネ先端部、３００、３００ａ、３００ｂ、３００ｃ、３００ｄ、３００ｅ、３００ｆ、３００ｇ、３００ｈ、３００ｋ  台座主部、３０１  光源取付面、３０２、３０２ａ、３０２ｂ、３０２ｃ、３０２ｄ、３０２ｅ、３０２ｆ、３０２ｇ、３０２ｈ、３０２ｋ  電源取付面、３０４  台座側部、３０５  基端部、３０６  先端部、３０７  カール部、３０８、３０８ａ、３０８ｂ、３０８ｃ、３０８ｄ、３０８ｅ、３０８ｆ、３０８ｇ  貫通孔、３１０  発光素子、３１１  光源基板、３２０  主カバー、３２１  カバー正面部、３２２  カバー側面部、３２３  カバー張出部、３２４  カバー係合部、３２４ａ  立設部、３２４ｂ  曲折部、３２５  カバー支持部、３２９  端部カバー、３３０、３３０ｈ、３３０ｋ  筐体、３３１ｈ、３３１ｋ  ボトムケース、３３２ｈ  アッパーケース、３３３ｈ  張出部、３３４ｈ  先端部、３３８  制御回路部品、３３８ｋ  電源回路部品、３３９  制御基板、３３９ｋ  電源基板、３４０  灯具電源電線、３４１  給電線、３６０、３６０ａ、３６０ｂ、３６０ｃ、３６０ｄ、３６０ｅ、３６０ｆ、３６０ｇ、３６０ｈ  連結主部、３６１、３６１ａ、３６１ｂ、３６１ｃ、３６１ｄ、３６１ｅ、３６１ｆ、３６１ｇ、３６１ｈ、３６１ｋ  挿通孔、３６２ｄ、３６２ｅ、３６２ｆ、３６２ｇ  滑動溝、３６３ｄ、３６３ｅ、３６３ｆ、３６３ｈ  係止爪、Ｘ  長手方向、Ｙ  短手方向、Ｚ  上下方向、Ｚ１  上方向、Ｚ２  下方向。
【図１】
2020202062.tif 000003
【図２】
2020202062.tif 000004
【図３】
2020202062.tif 000005
【図４】
2020202062.tif 000006
【図５】
2020202062.tif 000007
【図６】
2020202062.tif 000008
【図７】
2020202062.tif 000009
【図８】
2020202062.tif 000010
【図９】
2020202062.tif 000011
【図１０】
2020202062.tif 000012
【図１１】
2020202062.tif 000013
【図１２】
2020202062.tif 000014
【図１３】
2020202062.tif 000015
【図１４】
2020202062.tif 000016
【図１５】
2020202062.tif 000017
【図１６】
2020202062.tif 000018